(57)【要約】【課題】  ろ布を複数回掛け回す中心ロールを複数設置し、段階的に高圧搾を付与させる多段式ベルトプレスを提供する。【解決手段】  ろ布３間に汚泥を供給して多数並列したロールに走行自在に掛け回して圧搾脱水するベルトプレスにおいて、ろ布を互いに掛け回す複数の中心ロール１，２…と、ろ布３を中心ロール１，２…に向かって回帰させる回帰ロール６と、中心ロール１，２…上を多重に対向して走行するろ布３，３間に配設する間接材７とを備えるもので、徐々に高圧搾を付与させてサイドリークを防止し、少ないロール本数で脱水時間を確保できるためコンパクトなベルトプレスとなる。【選択図】  図１
2016073924.tif 000002
【特許請求の範囲】
【請求項１】
ろ布（３）間に汚泥を供給して多数並列したロールに走行自在に掛け回して圧搾脱水するベルトプレスにおいて、
ろ布（３）を互いに掛け回す複数の中心ロール（１，２，…）と、
ろ布（３）を中心ロール（１，２，…）に向かって回帰させる回帰ロール（６）と、
中心ロール（１，２，…）上を多重に対向して走行するろ布（３，３）間に配設する間接材（７）と、を備える
ことを特徴とした多段式ベルトプレス。
【請求項２】
前記中心ロール（１）上を多重に対向して走行したろ布（３）を、次段の中心ロール（２）上に多重に対向して走行させる
ことを特徴とした請求項１に記載の多段式ベルトプレス。
【請求項３】
前記回帰ロール（６）を介して複数の中心ロール（１，２，…）にろ布（３）を交互に巻き掛ける
ことを特徴とした請求項１または２に記載の多段式ベルトプレス。
【発明の詳細な説明】
【技術分野】
【０００１】
本発明は、ろ布の張力を加圧機構の押しつけ力に利用し、中心となるロールにろ布を複数回掛け回すことで、押しつけ力を高めて高圧脱水を行う多段式ベルトプレスに関する。
【背景技術】
【０００２】
従来、ろ布をロールに掛け回して脱水するベルトプレスは、ロールを縦横に数多く並べてそれらにろ布を掛け回したタイプや、大径のロールにろ布を掛けてその上から加圧ベルトや加圧ロールで押し付ける加圧装置付きのもの等がある。
また、特許文献１には中心ロールの周りに掛け回したろ布を折り返し、加圧ロールを介在させて再び中心ロールに掛け回すことで、折り返したろ布が加圧ロールに張力を伝えて加圧力の調整を行うベルトプレスが開示されている。
【先行技術文献】
【特許文献】
【０００３】
【特許文献１】特公昭５７−１８４５００
【発明の概要】
【発明が解決しようとする課題】
【０００４】
従来のベルトプレスは、ロール巻き掛け部のせん断力や面圧、ろ布張力による脱水を行うため、ロールを数多く配設している。また、脱水時間を確保するためにはロール本数を増やし、ろ布の長さを長大とする必要があり、装置寸法も大きくなっていた。加圧ベルトのような加圧装置については装置が複雑となり、価格も含めメンテナンス費・消耗品費が高価となってしまう。また、ろ過性能についても従来のベルトプレスでは加圧力が小さく、十分といえるものではなかった。
【０００５】
特許文献１に開示されているベルトプレスは１枚のろ布とロールに汚泥を挟んで脱水するもので、メインロールに当接している部分でしか脱水することができない。よって、最終段加圧ロールから折り返すと装置の機構上、ケーキは排出するしかない。従って、脱水時間はろ布とロールが当接している時間となるため短時間であり、十分な脱水が行えない。
脱水の過程では、加圧ロールが当接する場所から急激に圧力が大きくなるため、含水率が高い汚泥に高圧の圧搾を加えることとなり、サイドリークが発生する。よって、低圧から高圧の圧搾力を加圧して徐々に脱水するような理想的な脱水は行えない。
【０００６】
本発明は、中心となるロールにろ布を複数回掛け回して高圧搾を付与するベルトプレスに関し、中心となるロールを複数設置し、それぞれのロールに交互にろ布を掛け回すことで徐々に高圧搾を付与し、低含水率の脱水ケーキを生成する多段式ベルトプレスを提供する。
【課題を解決するための手段】
【０００７】
本発明のベルトプレスは、ろ布間に汚泥を供給して多数並列したロールに走行自在に掛け回して圧搾脱水するベルトプレスにおいて、ろ布を互いに掛け回す複数の中心ロールと、ろ布を中心ロールに向かって回帰させる回帰ロールと、中心ロール上を多重に対向して走行するろ布間に配設する間接材と、を備えるもので、ろ布は中心ロールに巻き掛けたことで面圧を受け、更に外側からの間接ロールによる面圧も加わる。間接ロールの押しつけ力は中心ロールのろ布にそのまま伝わり圧搾するため、段階的に圧搾圧力が増加し、サイドリークが発生せず、理想的な脱水が行える。
【０００８】
前記中心ロール上を多重に対向して走行したろ布を、次段の中心ロール上に多重に対向して走行させる、あるいは前記回帰ロールを介して複数の中心ロールにろ布を交互に巻き掛けると、少ないロール本数で脱水時間を確保することができるため装置がコンパクトとなる。
【発明の効果】
【０００９】
中心ロールに当接したろ布は、間接材が中心ロールの中心から放射線状に移動自在なため、ろ布によって間接材に押しつけ力が加えられる。同様にして、中心ロールに回帰させたろ布を何度も巻き掛けることで、中心ロールに当接したろ布には巻き掛けたろ布の数だけ、更に押しつけ力を加えることができる。従って、外側に巻き掛けてあるろ布が内側に巻き掛けてあるろ布へ押しつけ力を与えるため、外側から内側にかけて次第に圧力が上昇しており、中心ロールに巻き掛けてあるろ布は最も高い圧力で圧搾される。
【００１０】
このような中心ロールを複数設置し、ろ布がそれぞれの中心ロールを互いに走行するため、中心ロールの中心からの距離により曲率半径が徐々に減少して段階的に圧搾圧力が増加し、サイドリークが発生せず、理想的な脱水が行える。
【００１１】
中心ロールに巻き掛けてあるろ布は、巻き掛ける回数を増やすごとに脱水時間を延長することができ、その他のロールを多数配設してろ布走行時間を確保する必要がなくなる。そのため、装置がコンパクトとなる。中心ロールに掛け回したろ布とろ布の間にはろ布同士の摩擦を軽減する間接材を配設するため、ろ布はスムーズに走行する。また、間接材の大きさ、配設位置を変更することで、所定位置の圧力を自在に調整できる。
【図面の簡単な説明】
【００１２】
【図１】本発明に係る多重掛けのベルトプレスの概略側面図である。
【図２】同じく、多重掛けのベルトプレスの要部側面図である。
【図３】同じく、ベルトプレスの間接材を支持するフレームの側面図である。
【図４】同じく、他の実施例１のベルトプレスであって、ろ布の走行順路を変更したものである。
【図５】同じく、他の実施例２のベルトプレスであって、ろ布の走行順路を変更したものである。
【図６】同じく、１枚のろ布で形成したろ過空間の断面図である。
【発明を実施するための形態】
【００１３】
本発明のベルトプレスは、上下一対のろ布と、ろ布を無端状に張設する複数のロールと、これらを支持するフレームより構成され、一対のろ布間で汚泥を脱水するものである。複数の中心ロールにろ布を交互に円弧状に複数回掛け回すことで、高い圧力を掛けながら脱水できる機構を備えている。中心ロールに複数回掛け回したろ布とろ布の間には、対向走行するろ布同士の接触を防止する間接材が配設されている。間接材は中心ロールの中心から放射線状に移動自在で、間接材に掛け回したろ布の押しつけ力を内側のろ布へ伝え、圧力をかける。ろ布は間接材に巻き掛けたろ布から中心ロールに巻き掛けたろ布へ向かうように走行させて脱水を行う。
【００１４】
図１は本発明に係る多重（６重／３重）掛けのベルトプレスの概略側面図である。中心ロール１，２にろ布３を多重に掛けるベルトプレスは、汚泥を供給する汚泥供給部４と、汚泥を挟んで脱水する上下一対の無端状のろ布３，３と、一対のろ布３，３に挟持した汚泥をせん断作用で濃縮するせん断ロール５と、ろ布３を六回掛け回す中心ロール１と、ろ布３を三回掛け回す中心ロール２と、ろ布３を中心ロール１，２に向かって回帰させるために巻き掛ける回帰ロール６（６ａ〜６ｅ）と、中心ロール１，２上を多重に対向して走行するろ布３間に配設する間接材７（７ａ〜７ｇ）と、ろ布３から汚泥を剥離する剥離ロール８，８と、汚泥を排出する排出部９と、ろ布３のテンションを調整する緊張ロール１０と、ろ布を排出部９から汚泥供給部４に案内する複数の案内ロール１２と、で構成される。なお、必要に応じてせん断ロール５と中心ロール１の間にろ布３を案内する案内ロール１１…を配設してもよい。
【００１５】
図１の多重多段掛けのベルトプレスについて詳述する。中心ロール１の周辺には間接材７を五段で構成し、外側から一段目を間接材７ａ、二段目を間接材７ｂ、三段目を間接材７ｃ、四段目を間接材７ｆ、五段目を間接材７ｇとする。同様に、中心ロール２の周辺には間接材７を二段で構成し、外側から一段目を間接材７ｄ、二段目を間接材７ｅとする。
【００１６】
間接材７としては、ろ布３間の摩擦を軽減できる公知の技術を採用でき、ここでは回転自在な円筒状のロールを用いる。以下、間接材７として用いるロールを間接ロール７とする。間接ロール７の回転方向がろ布３の走行方向と一致しているため、ろ布３の摩擦は極めて軽減される。また、間接ロール７で構成されるろ布３間の隙間からろ液が排出されることもあり、対向走行するろ布の接触を防止できる径の複数のロールを間接ロール７として用いることが好ましい。間接ロール７は中心ロール１，２の中心から放射線状に移動自在に配設してある。そのため、間接ロール７の外側を走行するろ布張力により、間接ロール７を介して中心ロール１，２に当接したろ布３に圧力を加える。従って、中心ロール１，２に当接したろ布３では、中心ロール１，２の面圧と共に、間接ロール７の押しつけ力による線圧も加わるため、高圧の脱水が行われる。
【００１７】
上下一対の無端状の重なり合ったろ布３をせん断ロール５に巻き掛け、複数の案内ロール１１を経て一方の中心ロール１周辺に配設した間接ロール７ａに当接して巻き掛けてある。
【００１８】
間接ロール７ａに巻き掛けたろ布３は、続けて回帰ロール６ａに巻き掛ける。回帰ロール６ａに巻き掛けたろ布３は中心ロール１方向に回帰させて間接ロール７ａより内側に配設した間接ロール７ｂに巻き掛ける。この時、ろ布３は間接ロール７ａの中心ロール１側を通るように走行させる。同様に、間接ロール７ｂに巻き掛けたろ布３を回帰ロール６ｂに巻き掛けて回帰させた後、間接ロール７ｂの内側に配設した間接ロール７ｃに巻き掛ける。ここでもろ布３は間接ロール７ｂの中心ロール１側を通るように走行させ、ろ布３を間接ロール７ｂ、間接ロール７ｃ間で挟持するよう走行させる。
【００１９】
ろ布３の走行により間接ロール７ａ〜７ｃを中心ロール１側に押圧するので、中心ロール１上を対向走行するろ布３について、内側を走行するほど徐々にろ布３にかかる圧力が高くなる。
【００２０】
間接ロール７ｃに巻き掛けたろ布３を、他方の中心ロール２周辺に配設した間接ロール７ｄに当接して巻き掛ける。間接ロール７ｄに巻き掛けたろ布３は、続けて回帰ロール６ｃに巻き掛ける。回帰ロール６ｃに巻き掛けたろ布３は中心ロール２方向に回帰させて間接ロール７ｄより内側に配設した間接ロール７ｅに巻き掛ける。ここでもろ布３は間接ロール７ｄの中心ロール２側を通るように走行させ、ろ布３を間接ロール７ｄ、間接ロール７ｅ間で挟持するよう走行させる。
【００２１】
間接ロール７ｅに巻き掛けたろ布３を、一方の中心ロール１周辺に配設した間接ロール７ｆに当接して巻き掛ける。間接ロール７ｆに巻き掛けたろ布３は、続けて回帰ロール６ｄに巻き掛ける。回帰ロール６ｄに巻き掛けたろ布３は中心ロール１方向に回帰させて間接ロール７ｆより内側に配設した間接ロール７ｇに巻き掛ける。ここでもろ布３は間接ロール７ｆの中心ロール１側を通るように走行させ、ろ布３を間接ロール７ｆ、間接ロール７ｇ間で挟持するよう走行させる。
【００２２】
間接ロール７ｇに巻き掛けたろ布３は他方の中心ロール２に当接して巻き掛ける。中心ロール２に巻き掛けたろ布３は間接ロール７ｅの中心ロール２側を通るよう走行させ、ろ布３は間接ロール７ｅと中心ロール２で挟持するよう走行させる。
【００２３】
中心ロール２に巻き掛けたろ布３は一方の中心ロール１に当接して巻き掛ける。中心ロール１に巻き掛けたろ布３は間接ロール７ｇの中心ロール１側を通るよう走行させ、ろ布３は間接ロール７ｇと中心ロール１で挟持するよう走行させる。
【００２４】
中心ロール１に当接した一対のろ布３はケーキ排出部９で離間し、それぞれ剥離ロール８，８に巻き掛けられ、案内ロール１２を介して無端状に走行させる。
【００２５】
ろ布３を走行させ、各間接ロール７ａ，７ｂ，７ｃ，７ｆ，７ｇが中心ロール１の中心から放射線状に移動自在に配設した際の、ろ布３の張力は、それぞれ間接ロール７ａ，７ｂ，７ｃ，７ｆ，７ｇを介して中心ロール１側を走行するろ布３に押しつけ力を伝える。同様に、各間接ロール７ｄ，７ｅが中心ロール２の中心から放射線状に移動自在に配設した際の、ろ布３の張力は、それぞれ間接ロール７ｄ，７ｅを介して中心ロール２側を走行するろ布３に押しつけ力を伝える。
【００２６】
また、本発明では間接ロール７の移動方向を放射線状としているが、移動方向としては放射曲線状等でもよく、間接ロール７が中心ロール１，２の円周面から離接自在であればどのような移動方向としてもよい。
【００２７】
複数の間接ロール７…は小径のものを狭い間隔で配設することで、間接ロール７による線圧が連続で加わり、中心ロール１，２に当接したろ布３に掛ける圧力を均一にすることができる。間接ロール７を円周方向に多く配設し、ろ布３と当接する区間を長くすると長時間圧搾が可能なため、脱水性の悪い汚泥などに適した運転ができる。このように、間接ロール７の大きさ、配設間隔等は処理汚泥に応じて適宜変更することができる。
【００２８】
また、間接ロール７が移動自在であるため、ろ布３を各ロールに巻き掛ける際などの作業性は良い。間接ロール７の移動は支持しているフレーム１５で制限されるが、ろ布３と供給する汚泥の厚み分移動できるように支持すれば本発明の作用効果が得られる。
【００２９】
その他、間接材７として摩擦抵抗の低い樹脂シートを利用することもできる。ろ布３とろ布３の間に樹脂シートを配設し、樹脂シート上を滑らせてろ布３を走行させる。樹脂シートは中心ロール１，２に当接したろ布３に面で圧力を掛けるため、より均一な脱水が行える。
【００３０】
間接材７としては２重掛けのベルトプレスと同様のものが利用できる。間接ロール７を利用する場合、各段の間接ロール７ａ，７ｂ，７ｃ，７ｆ，７ｇおよび間接ロール７ｄ，７ｅはロールによる面圧を連続的に掛けるため、千鳥状に配設する。
なお、各段の間接ロール７ａ，７ｂ，７ｃ，７ｆ，７ｇおよび間接ロール７ｄ，７ｅの移動軸を同一線上とすれば、間接ロール７間でろ布３に線圧を加えることも可能で、強い圧力を掛けることもできる。
【００３１】
中心ロール１および中心ロール２周辺を走行するろ布３は、それぞれ間接ロール７ａ，７ｂ，７ｃ，７ｆ，７ｇおよび間接ロール７ｄ，７ｅに巻き掛けた外側のろ布３から、中心ロール１，２に当接したろ布３に向かって脱水しながら走行する。外側のろ布３はそれぞれ間接ロール７ａ，７ｂ，７ｃ，７ｆ，７ｇおよび間接ロール７ｄ，７ｅを介して内側のろ布３へ押しつけ力を掛けるため、中心ロール１，２に当接したろ布３に近づくほど外側のろ布３の押しつけ力が加わり、高い圧力が掛けられている。従って低い圧力から徐々に高い圧力で脱水するようになるため、急激に圧力を掛けた際に生じるサイドリークが発生せず、適切な脱水を行える。
【００３２】
図２は本発明に係る多重掛けのベルトプレスの要部側面図である。本発明のベルトプレスの中心ロール１，２に掛け回したろ布３は、ろ過工程Ａ、加圧工程Ｂ、回帰工程Ｃ、圧搾工程Ｄを具備する。これらのろ布３は一対の無端状ろ布３が重なり合って構成されており、ろ布３間には汚泥が供給されている。
【００３３】
ろ過工程Ａは、汚泥供給部４より供給された汚泥を徐々にろ過する工程である。ろ過工程Ａでは、汚泥供給部４より供給された汚泥をろ布３で挟持してせん断ロール５に掛け回してある。一対のろ布３はせん断ロール５に近づくにつれ漸近するため、流動性の高い汚泥であっても徐々にろ過される。せん断ロール５に巻き掛けた一対のろ布３，３において、内周するろ布３の走行速度が速いことから内部にせん断力が生じている。従って、ろ過工程Ａでは、せん断ロール５による面圧とろ布３のせん断力が掛かり、汚泥の液分がろ布を通して外部に排出される。せん断ロール５の径は後段の圧搾工程に必要な含水率や原液性状に応じて適宜設定する。
必要に応じて、せん断ロール５の後段の複数の案内ロール１１…を配設し、案内ロール１１にて同様にろ過しつつ、次工程に搬送してもよい。
【００３４】
加圧工程Ｂは、ろ布３を間接ロール７ａから間接ロール７ｇに巻き掛けてある工程である。加圧工程Ｂ１〜Ｂ７をそれぞれ間接ロール７ａ〜７ｇに巻き掛けてある工程とする。
【００３５】
加圧工程Ｂでは、ろ布３を間接ロール７に巻き掛けてあり、間接ロール７は中心ロール１，２の中心方向へ放射線状に移動自在に配設しているため、間接ロール７に掛かる押しつけ力は、１段内側のろ布３へ伝えられる。
最も外側の加圧工程Ｂ１，Ｂ４ではろ布３に掛かる張力、せん断力、間接ロール７ａ，７ｄによる面圧によって脱水が行われる。
加圧工程Ｂ２，Ｂ３，Ｂ５，Ｂ６，Ｂ７では、回帰ロール６で回帰したろ布３を間接ロール７に巻き掛けてある。ろ布３に掛かる張力、せん断力、間接ロール７による面圧が加わると共に、間接ロール７による面圧と押しつけ力が加わり、加圧工程Ｂ１，４より高圧な脱水が行われている。
【００３６】
回帰工程Ｃは、間接ロール７に巻き掛けたろ布３を、回帰ロール６に巻き掛けて間接ロール７に向かって回帰させる工程である。回帰ロール６の外側から掛け回し、折り返したろ布３は間接ロール７の内側を通るように走行させる。
回帰ロール６を走行する際にろ布３に掛かる張力、せん断力、間接ロール７ａ，７ｄによる面圧によって脱水が行われる。
【００３７】
圧搾工程Ｄでは、回帰ロール６から回帰したろ布３を中心ロール１，２に当接するよう巻き掛け、且つろ布３を中心ロール１，２と間接ロール７に挟持されるよう走行させる。ろ布３は中心ロール１，２に巻き掛けたことで面圧を受け、更に加圧工程Ｂで掛けられる押しつけ力が間接ロール７を押しつけるため、間接ロール７による面圧も加わる。加圧工程Ｂの押しつけ力は圧搾工程Ｄのろ布３にそのまま伝わり圧搾するため、圧搾工程Ｄでは脱水工程の中で最も高い圧力で脱水されている。複数の中心ロールにて圧搾を行うため、後段の圧搾工程でより高圧で加圧できるように、中心ロールの径や圧搾圧力を調整する。
【００３８】
ろ液は各間接ロール７で形成された間隙や、中心ロール１，２と間接ロール７の微小な隙間から排出される。
【００３９】
圧搾工程Ｄを経たろ布３は離間して、それぞれ剥離ロール８，８に巻き掛けられケーキを排出し、無端状となるよう案内ロール１２に巻き掛けられる。
【００４０】
図３は本発明に係るベルトプレスの間接材を支持するフレームの側面図である。
フレーム１５は中心ロール１，２の左右に立設され、間接材７、ここでは間接ロール７が、中心ロール１，２の中心から放射線状に移動自在となるよう、間接材７の可動域に配設する。フレーム１５は、間接材７を挿入支持する放射線状の支持穴１６を有しており、間接材７が挿通自在、更に中心ロール１，２の中心から放射線状に移動自在に支持できる。
【００４１】
図示しないが、その他のベルトプレスの形態においても、それぞれ対応した支持穴１６をフレーム１５に形成することで間接材７を支持することができるため、同様のフレーム１５を利用することができる。
【００４２】
フレーム１５には間接材７が軸方向へ移動しないように保護板を設けてもよい。ベルトプレスの運転中にフレーム１５の外に保護板を配設することで、ろ布３の蛇行により間接材７が左右にずれることや、支持穴１６からの落下を防止することができる。また、保護板を着脱自在とすることで、メンテナンス時に取り外せば間接材７の装着、取り外しが容易に行える。アクリルガラス等の透過性を有する素材を用いると、ベルトプレス運転中に間接材７の不具合を早急に発見できる。
【００４３】
フレーム１５は間接材７を支持できるようなものであればどのようなものでもよいが、実施例でフレーム１５は平板状で中心ロール１の軸周辺に開口を設けているため、メンテナンス等の作業性がよくなっている。
【００４４】
この様なフレーム１５で間接材７を支持することにより、ろ布３による外側からの押しつけ力を中心ロール１，２方向に伝えることができる。
また、本実施例では支持穴１６が放射線状に形成されているが、支持穴１６を放射曲線状、あるいは平行状等、間接ロール７が中心ロール１，２の円周面から離接自在に支持できるのであればどのような支持穴１６でも構わない。
【００４５】
図４は他の実施例１のベルトプレスであって、ろ布の走行順路を変更したものである。他の実施例１では、複数の中心ロールの一方に多重に対向して走行させた後、他方に多重に対向して走行させている。中心ロール１の外側から間接ロール７間にろ布３を対向走行させた後、連続的に中心ロール２の外側から間接ロール７間にろ布を対向走行させることにより、ろ布３への圧搾圧力を徐々に増大させる。この時、後段の中心ロールの２径が前段の中心ロール１の径より小さいと、後段の中心ロール２でのせん断力が大きくなり高圧搾となる。
【００４６】
図５は他の実施例２のベルトプレスであって、同じくろ布の走行順路を変更したものである。他の実施例２では、複数の中心ロールにろ布３を交互に掛け回している。中心ロール１の間接ロール７にろ布３を掛け回した後、連続的に中心ロール２の間接ロール７にろ布３を掛け回し、回帰ロール６にてろ布３を中心ロール２の間接ロール７の内側を通るように走行させる。その後、連続的に中心ロール１、回帰ロール６、中心ロール２、回帰ロール６と走行させることによって、ろ布３への圧搾圧力を徐々に増大させる。
【００４７】
本実施例では２つの中心ロール１，２で圧搾を行っているが、３つ以上の中心ロール１，２，…に巻き掛けて圧搾を行ってもよい。また、複数の中心ロール間を走行するろ布３に徐々に高い圧搾力が加圧されるように、回帰ロールを掛け回す走行順路等は適宜選択できる。
【００４８】
なお、一対のろ布３，３に汚泥を供給した後、両端を折り返した状態で圧搾することで、サイドリークを発生し難い高圧搾用の構成としてもよい。また、図６のように無端状の一枚のろ布３上に原液を供給し、幅方向両端を原液供給側に重ね合わせるように折り返すことでろ過空間を形成したベルトプレスを構成してもよい。
【産業上の利用可能性】
【００４９】
本発明に係るベルトプレスは、中心ロールにろ布を複数回掛け回すことで、掛け回されたろ布の押しつけ力により後段のろ布を加圧するベルトプレスである。中心ロールを複数設置し、ろ布がそれぞれの中心ロールを互いに走行するため、中心ロールの中心からの距離により曲率半径が徐々に減少して段階的に圧搾圧力が増加し、サイドリークが発生せず、理想的な脱水が行える。少ないロール本数で脱水時間を確保することができるため装置がコンパクトとなり、産業用あるいは食品用等の汚泥処理や廃棄物処理に有用な高圧搾型ベルトプレスとなる。
【符号の説明】
【００５０】
１，２  中心ロール
３  ろ布
６  回帰ロール
７  間接材
【図１】
2016073924.tif 000003
【図２】
2016073924.tif 000004
【図３】
2016073924.tif 000005
【図４】
2016073924.tif 000006
【図５】
2016073924.tif 000007
【図６】
2016073924.tif 000008